(57)【要約】【課題】箱として使用後、物品スタンドとして有効活用を図ることができ、１枚の紙材料から成って管理が容易な物品スタンドになる箱を提供する。【解決手段】１枚の所定形状のシートから組み立てられた箱体である。箱体は、第１側面と第２側面と底面と背面と背面フラップと蓋面６と蓋面フラップ７と底面フラップ８とを有し、側部に開閉可能な開口Ｋを有する。蓋面６は開口Ｋを開閉可能であって蓋面６および開口Ｋは底面に対して鋭角をなす。底面フラップ８は底面の開口の側の縁部に連接する。底面フラップ８は蓋面６を開いた状態で開口Ｋから箱体の内側に収容可能である。底面フラップ８は箱体の外側で底面に対し鈍角をなす物品載置部を形成するよう折り曲げ可能である。【選択図】図１
2018135148.tif 000002
【特許請求の範囲】
【請求項１】
１枚の所定形状のシートから組み立てられた箱体であって、前記箱体は底面と蓋面と底面フラップとを有して側部に開閉可能な開口を有し、前記蓋面は前記開口を開閉可能であって前記蓋面および前記開口は前記底面に対して鋭角をなし、前記底面フラップは前記底面の前記開口の側の縁部に連接し、前記底面フラップは前記蓋面を開いた状態で前記開口から前記箱体の内側に収容可能であり前記箱体の外側で前記底面に対し鈍角をなす物品載置部を形成するよう折り曲げ可能に構成されていることを、特徴とする物品スタンドになる箱。
【請求項２】
前記箱体はさらに第１側面と第２側面とを有し、前記第１側面および前記第２側面は前記開口の両側に互いに対向するよう設けられ、前記第１側面および前記第２側面の少なくとも一方は前記開口の側の縁部に前記底面フラップの先端と係合可能な係合溝を有することを、特徴とする請求項１記載の物品スタンドになる箱。
【請求項３】
前記底面フラップは延長部と立上り部と載置面とを有し、前記延長部は前記底面に連接して前記箱体の外側に伸び、前記立上り部は前記延長部に連接して立ち上がり、前記載置面は前記立上り部に連接し前記先端を有して前記先端を前記係合溝と係合するよう折り曲げ可能に構成されていることを、特徴とする請求項２記載の物品スタンドになる箱。
【請求項４】
前記底面フラップは中間部と２つの側部とに折り曲げ可能であり、前記中間部は前記開口に沿って配置可能であり、各側部はそれぞれ前記中間部の２つの側縁部に連接しており前記中間部が前記開口部に沿って配置されたとき前記第１側面の内側および前記第２側面の内側に沿って配置可能であることを、特徴とする請求項３記載の物品スタンドになる箱。
【請求項５】
前記第１側面および前記第２側面は前記係合溝を有し、前記第１側面は前記蓋面と縁部で連接し、前記第２側面の前記開口の側の縁部に連接する蓋面フラップを有し、前記蓋面フラップは前記開口の内側に折り曲げ可能であり、前記蓋面は前記第１側面の前記係合溝と連続する第１連通溝を有し、前記蓋面フラップは前記第２側面の前記係合溝と連続する第２連通溝を有し、前記底面フラップは前記蓋面および前記蓋面フラップを開いた状態で前記先端が前記係合溝、前記第１連通溝および前記第２連通溝と係合して前記物品載置部を形成可能であることを、特徴とする請求項２、３または４記載の物品スタンドになる箱。
【請求項６】
前記開口は長方形状であって、前記第１連通溝は前記第１側面の前記開口の側の縁部に対し垂直に伸び、前記第２連通溝は前記第２側面の前記開口の側の縁部に対し垂直に伸び、前記第１側面の前記係合溝は前記第１側面の前記開口の側の縁部に対し垂直より前記底面の側に傾斜して伸び、前記第２側面の前記係合溝は前記第２側面の前記開口の側の縁部に対し垂直より前記底面の側に傾斜して伸びていることを、特徴とする請求項５記載の物品スタンドになる箱。
【請求項７】
前記底面フラップは前記蓋面および前記蓋面フラップを開いた状態で前記先端が前記係合溝、前記第１連通溝および前記第２連通溝と係合したとき前記蓋面および前記蓋面フラップに当接する突起を両縁部に有することを、特徴とする請求項５または６に記載の物品スタンドになる箱。
【請求項８】
前記箱体はさらに背面を有して前記開口と対向する側部に第２開口を有し、前記背面は前記第２開口を開閉可能であって前記背面および前記第２開口は前記底面に対して鋭角をなし、前記底面の前記背面の側の縁部に連接する第２底面フラップを有し、前記第２底面フラップは前記背面を開いた状態で前記第２開口から前記箱体の内側に収容可能であり前記箱体の外側で前記底面に対し鈍角をなす第２物品載置部を形成するよう折り曲げ可能に構成されていることを、特徴とする請求項２〜７のいずれか１項に記載の物品スタンドになる箱。
【請求項９】
前記箱体は前記開口に垂直な縦断面形状が三角形状であることを、特徴とする請求項１〜８のいずれか１項に記載の物品スタンドになる箱。
【請求項１０】
前記箱体は前記開口に垂直な縦断面形状が台形状であることを、特徴とする請求項１〜８のいずれか１項に記載の物品スタンドになる箱。
【請求項１１】
前記シートは紙材から成り、前記物品載置部はスマートフォンを載置可能であることを、特徴とする請求項１〜１０のいずれか１項に記載の物品スタンドになる箱。
【発明の詳細な説明】
【技術分野】
【０００１】
本発明は、スマートフォンなどの物品を立て掛けるための物品スタンドになる箱に関する。
【背景技術】
【０００２】
携帯電話などの物品を保管または搬送するための化粧箱として、１枚の型紙を折り曲げて組み立て可能なものが開示されている（特許文献１参照）。  一方、スマートフォンでテレビを観たり、充電したまま長時間、操作したり通話をしたりする際、専用のスタンドが使用されている。
【０００３】
このような携帯電話用のスタンドとして、平板状の携帯電話ホルダーパネル部に平板状のホルダー支持パネル部を差し込み、携帯電話載置部を携帯電話ホルダーパネル部から正面側に突出させ、携帯電話を携帯電話載置部の上に載せて携帯電話ホルダーパネル部の表面側にもたれさせて使用するものが開示されている（特許文献２参照）。
【先行技術文献】
【特許文献】
【０００４】
【特許文献１】特開平７−２４２２３２号公報
【特許文献２】実用新案登録第３１８６２７１号公報
【発明の概要】
【発明が解決しようとする課題】
【０００５】
しかしながら、特許文献１の化粧箱は、使用後は廃棄物として処理されることが多く、紙資源の有効活用が図られていないという課題があった。
特許文献２の物品スタンドは、携帯電話を立て掛けるためにのみ使用され、他に用途がないという課題があった。また、携帯電話ホルダーパネル部とホルダー支持パネル部とに分かれているため、一方を紛失すると使用できなくなり、２つをまとめて管理しておくのに手間がかかるという課題があった。
【０００６】
本発明は、このような課題に着目してなされたもので、箱として使用後、物品スタンドとして有効活用を図ることができ、１枚の紙材料から成って管理が容易な物品スタンドになる箱を提供することを目的とする。
【課題を解決するための手段】
【０００７】
上記目的を達成するために、本発明に係る物品スタンドになる箱は、１枚の所定形状のシートから組み立てられた箱体であって、前記箱体は底面と蓋面と底面フラップとを有して側部に開閉可能な開口を有し、前記蓋面は前記開口を開閉可能であって前記蓋面および前記開口は前記底面に対して鋭角をなし、前記底面フラップは前記底面の前記開口の側の縁部に連接し、前記底面フラップは前記蓋面を開いた状態で前記開口から前記箱体の内側に収容可能であり前記箱体の外側で前記底面に対し鈍角をなす物品載置部を形成するよう折り曲げ可能に構成されていることを、特徴とする。
【０００８】
本発明に係る物品スタンドになる箱は、１枚の所定形状のシートから組み立てられているので、部材が散逸するようなことがなく、管理が容易である。箱体には、開口から内部に物品を収容して保管、運搬が可能である。箱として使用後、物品スタンドとして有効活用を図ることができる。箱体の状態から物品スタンドとして使用する場合、蓋面を開き、底面フラップを折り曲げて物品載置部を形成する。物品載置部にスマートフォン、額などの物品を載せて、開口の周囲に立て掛けることができる。物品載置部は底面に対して鈍角をなし、開口は底面に対して鋭角をなすため、物品は物品載置部と開口の周囲とで安定して支持される。
【０００９】
本発明に係る物品スタンドになる箱で、前記箱体は第１側面と第２側面とを有し、前記第１側面および前記第２側面は前記開口の両側に互いに対向するよう設けられ、前記第１側面および前記第２側面の少なくとも一方は前記開口の側の縁部に前記底面フラップの先端と係合可能な係合溝を有することが好ましい。
この場合、底面フラップの先端を係合溝と係合させることにより、物品載置部を折り曲げた状態で安定させることができる。
【００１０】
本発明に係る物品スタンドになる箱で、前記底面フラップは延長部と立上り部と載置面とを有し、前記延長部は前記底面に連接して前記箱体の外側に伸び、前記立上り部は前記延長部に連接して立ち上がり、前記載置面は前記立上り部に連接し前記先端を有して前記先端を前記係合溝と係合するよう折り曲げ可能に構成されていることが好ましい。
この場合、載置面の上に物品を載せることができ、底面フラップにより、安定した物品載置部を容易に形成することができる。
【００１１】
本発明に係る物品スタンドになる箱で、前記底面フラップは中間部と２つの側部とに折り曲げ可能であり、前記中間部は前記開口に沿って配置可能であり、各側部はそれぞれ前記中間部の２つの側縁部に連接しており前記中間部が前記開口部に沿って配置されたとき前記第１側面の内側および前記第２側面の内側に沿って配置可能であることが好ましい。
この場合、箱体として使用するとき、底面フラップの中間部を開口部に沿って配置し、各側部を第１側面の内側および第２側面の内側に沿って配置することにより、箱体の強度を高めることができる。
【００１２】
本発明に係る物品スタンドになる箱で、前記第１側面および前記第２側面は前記係合溝を有し、前記第１側面は前記蓋面と縁部で連接し、前記第２側面の前記開口の側の縁部に連接する蓋面フラップを有し、前記蓋面フラップは前記開口の内側に折り曲げ可能であり、前記蓋面は前記第１側面の前記係合溝と連続する第１連通溝を有し、前記蓋面フラップは前記第２側面の前記係合溝と連続する第２連通溝を有し、前記底面フラップは前記蓋面および前記蓋面フラップを開いた状態で前記先端が前記係合溝、前記第１連通溝および前記第２連通溝と係合して前記物品載置部を形成可能であることが好ましい。
【００１３】
この場合、蓋面および蓋面フラップを開いて、物品を物品載置部に載せ、蓋面および蓋面フラップに立て掛けることができる。また、底面フラップの先端を第１側面および第２側面の係合溝ならびに蓋面の第１連通溝および蓋面フラップの第２連通溝と係合させることにより、物品載置部を折り曲げた状態でさらに安定させることができる。
【００１４】
本発明に係る物品スタンドになる箱で、前記開口は長方形状であって、前記第１連通溝は前記第１側面の前記開口の側の縁部に対し垂直に伸び、前記第２連通溝は前記第２側面の前記開口の側の縁部に対し垂直に伸び、前記第１側面の前記係合溝は前記第１側面の前記開口の側の縁部に対し垂直より前記底面の側に傾斜して伸び、前記第２側面の前記係合溝は前記第２側面の前記開口の側の縁部に対し垂直より前記底面の側に傾斜して伸びていることが好ましい。
【００１５】
この場合、蓋面および蓋面フラップを開いて、第１側面および第２側面の係合溝ならびに蓋面の第１連通溝および蓋面フラップの第２連通溝と係合させた底面フラップの先端が、底面の側に傾斜した係合溝により、抜ける方向に対して抵抗を受けるので、物品載置部を折り曲げた状態でさらに安定させることができる。
【００１６】
本発明に係る物品スタンドになる箱で、前記底面フラップは前記蓋面および前記蓋面フラップを開いた状態で前記先端が前記係合溝、前記第１連通溝および前記第２連通溝と係合したとき前記蓋面および前記蓋面フラップに当接する突起を両縁部に有することが好ましい。
この場合、蓋面および蓋面フラップを開いた状態で、底面フラップの突起が蓋面および蓋面フラップに当接するので、蓋面および蓋面フラップを開いた状態で保ち、物品を蓋面および蓋面フラップに立て掛けやすくなる。
【００１７】
本発明に係る物品スタンドになる箱で、前記箱体はさらに背面を有して前記開口と対向する側部に第２開口を有し、前記背面は前記第２開口を開閉可能であって前記背面および前記第２開口は前記底面に対して鋭角をなし、前記底面の前記背面の側の縁部に連接する第２底面フラップを有し、前記第２底面フラップは前記背面を開いた状態で前記第２開口から前記箱体の内側に収容可能であり前記箱体の外側で前記底面に対し鈍角をなす第２物品載置部を形成するよう折り曲げ可能に構成されていてもよい。
【００１８】
この場合、箱体の状態から、互いに対向する蓋面および背面を開いて、物品載置部および第２物品載置部を形成することができる。物品載置部および第２物品載置部には、スマートフォン、額などの物品をそれぞれ載せて、開口の周囲に立て掛けることができる。
【００１９】
本発明に係る物品スタンドになる箱で、例えば、前記箱体は前記開口に垂直な縦断面形状が三角形状である。
本発明に係る物品スタンドになる箱で、例えば、前記箱体は前記開口に垂直な縦断面形状が台形状である。
本発明に係る物品スタンドになる箱で、前記シートは紙材から成り、前記物品載置部はスマートフォンを載置可能であることが好ましい。
【発明の効果】
【００２０】
本発明によれば、箱として使用後、物品スタンドとして有効活用を図ることができ、１枚の紙材料から成って管理が容易な物品スタンドになる箱を提供することができる。
【図面の簡単な説明】
【００２１】
【図１】本発明の第１の実施の形態の物品スタンドになる箱の、物品スタンドに組み立てた状態を示す斜視図である。
【図２】図１に示す物品スタンドになる箱の平面展開図である。
【図３】図１に示す物品スタンドになる箱を示す斜視図である。
【図４】図１に示す物品スタンドになる箱の組み立て途中の状態を示す斜視図である。
【図５】図１に示す物品スタンドになる箱の、物品スタンドに組み立てた状態のＸ−Ｘ矢視断面図である。
【図６】本発明の第２の実施の形態の物品スタンドになる箱の、物品スタンドに組み立てた状態を示す斜視図である。
【図７】図６に示す物品スタンドになる箱の平面展開図である。
【図８】本発明の第３の実施の形態の物品スタンドになる箱の、物品スタンドに組み立てた状態を示す斜視図である。
【図９】図８に示す物品スタンドになる箱の、物品スタンドの使用状態を示す説明図である。
【図１０】図８に示す物品スタンドになる箱の平面展開図である。
【発明を実施するための形態】
【００２２】
以下、本発明における物品スタンドになる箱の実施の形態について、図を参照して詳細に説明する。
図１〜図５は、本発明の物品スタンドになる箱の第１の実施の形態を示している。
【００２３】
図１に示す物品スタンドになる箱Ａは、１枚の所定形状のシートから組み立てられた箱体である。シートは、段ボールや厚手の紙材から成っている。シートの厚さは、任意に設定可能である。図２に示すように、箱体は、第１側面１と第２側面２と底面３と背面４と背面フラップ５と蓋面６と蓋面フラップ７と底面フラップ８と第２底面フラップ９と第２背面フラップ５ａとを有する。
【００２４】
箱体は、物品スタンドの状態で、側部に開閉可能な長方形状の開口Ｋを有する。開口Ｋの幅は、スマートフォンの幅より小さいことが好ましい。第１側面１および第２側面２は、開口Ｋの両側に互いに平行に対向するよう設けられている。開口Ｋは、第１側面１、第２側面２、底面３および背面４の各縁部で包囲され、長方形状をなしている。図３に示すように、箱体は、三角柱状の形状を有し、開口Ｋに垂直な縦断面形状が三角形状である。底面３は長方形状であって、第１側面１は底面３の一方の長辺を構成する縁部に連接し、第２側面２は底面３の他方の長辺を構成する縁部に連接している。第１側面１および第２側面２は、三角形状である。図２に示すように、蓋面６は、第１側面１の開口Ｋの側の縁部に連接している。背面４は、第１側面１の、蓋面６と反対側の縁部に連接している。
【００２５】
底面フラップ８は、底面３の開口Ｋの側の縁部に連接している。第２底面フラップ９は、底面３の、背面側の縁部に連接している。蓋面フラップ７は、第２側面２の開口Ｋの側の縁部に連接している。背面フラップ５は、第２側面２の、蓋面フラップ７と反対側の縁部に連接している。第２背面フラップ５ａは、背面フラップ５の、開口Ｋ側の縁部に連接している。図２に示す平面状態から、各縁部は内側にそれぞれ直角に折り曲げられる。
【００２６】
蓋面６および蓋面フラップ７は開口Ｋを開閉可能であって、蓋面６、蓋面フラップ７および開口Ｋは底面３に対して鋭角をなしている。蓋面６および蓋面フラップ７は、開口Ｋの内側に折り曲げ可能である。底面フラップ８は、蓋面６を開いた状態で開口Ｋから箱体の内側に収容可能であり、箱体の外側で底面３に対し鈍角をなす物品載置部を形成するよう折り曲げ可能に構成されている。底面フラップ８は、それぞれ平面状の、延長部８ａと立上り部８ｂと載置面８ｃとを有している。延長部８ａは底面３に連接し、底面３と同一平面上で箱体の外側に伸び、立上り部８ｂは延長部８ａに連接して立ち上がり、載置面８ｃは立上り部８ｂに連接しており物品載置部の先端を有している。
【００２７】
第１側面１および第２側面２は、開口Ｋの側の縁部に底面フラップ８の先端と係合可能な係合溝１２，１４を有する。蓋面６は、第１側面１の係合溝１２と連続する第１連通溝１３を有している。蓋面フラップ７は、第２側面２の係合溝１４と連続する第２連通溝１５を有している。
【００２８】
第１連通溝１３は、第１側面１の開口Ｋの側の縁部に対し垂直に伸びている。第２連通溝１５は、第２側面２の開口Ｋの側の縁部に対し垂直に伸びている。第１側面１の係合溝１２は、第１側面１の開口Ｋの側の縁部に対し垂直より底面３の側に傾斜して伸びている。第２側面２の係合溝１４は、第２側面２の開口Ｋの側の縁部に対し垂直より底面３の側に傾斜して伸びている。
【００２９】
底面フラップ８は、蓋面６および蓋面フラップ７を開いた状態で、先端が係合溝１２，１４、第１連通溝１３および第２連通溝１５と係合したとき、蓋面６および蓋面フラップ７に当接する突起８ｄ、８ｅを両縁部に有している。
【００３０】
図４に示すように、底面フラップ８は、中間部８ｆと２つの側部８ｇ、８ｈとに折り曲げ可能である。中間部８ｆは、開口Ｋに沿って配置可能である。各側部８ｇ、８ｈは、それぞれ中間部８ｆの２つの側縁部に連接している。各側部８ｇ、８ｈは、中間部８ｆが開口Ｋに沿って配置されたとき、第１側面１の内側および第２側面２の内側に沿って配置可能である。
【００３１】
底面フラップ８は、蓋面６および蓋面フラップ７を第１側面１および第２側面２に直角に開いた状態で、載置面８ｃの先端を係合溝１２，１４、第１連通溝１３および第２連通溝１５と係合させて物品載置部を形成可能である。載置面８ｃの上には、物品を載せることができる。
【００３２】
この物品スタンドになる箱Ａは、図２に示すように、１枚の平板状の紙材料を所定形状に切断加工し、切断加工した紙材料シートに折り曲げ加工を施して内部に製品を収納可能な所定形状の箱体とするものである。
【００３３】
まず、１枚の平板状の紙材料シートに長方形状の底面３を挟んで三角形状の第１側面１と第２側面２を形成する。そして、この第１側面１に連接して背面４と蓋面６とを形成し、第２側面２に連接して背面フラップ５と蓋面フラップ７とを形成する。また、この背面４および蓋面６と第１側面１との境界に、係合手段となる切込み４ａ、６ａを形成する。背面フラップ５と蓋面フラップ７とには、係合手段となる凸片１０、１１を形成する。背面４と背面フラップ５とを重ね合わせ、蓋面６と蓋面フラップ７とを重ね合わせて、凸片１０、１１を切込み４ａ、６ａに差し込み、固定する。これにより、閉じた箱体となる。
なお、凸片１０、１１を背面フラップ５と蓋面フラップ７に設ける代わりに、背面４および蓋面６に設け、切込み４ａ、６ａを背面フラップ５および蓋面フラップ７と第２側面２との境界に設けてもよい。
【００３４】
図５を用いて、物品スタンドの状態の具体的な固定関係の一例について説明する。底面３と背面４と蓋面６とは、それぞれ６０°をなしている。延長部８ａは、底面３に対し、同一平面上に延びる。立上り部８ｂは、延長部８ａに対して６０°をなし、蓋面６と平行となっている。この角度は、スマートフォンでカメラ撮影する場合の最適角度である。但し、鋭角であれば、６０°以外の角度、例えば７０°であってもよい。載置面８ｃは、立上り部８ｂに対して８３°または８３°以下の角度をなしている。載置面８ｃの係合溝１２に差し込まれた先端は、蓋面３の底面側に対して８０°または８０°以下の角度をなしている。この角度により、載置面８ｃの先端の係合１２への差込みを安定させることができる。
【００３５】
このような形状に加工された平板状の紙材料シートは、図４に示すように、底面３を基準として、第１側面１、第２側面２を直角に折り曲げ、さらに背面４、蓋面６、背面フラップ５、蓋面フラップ７を折り線に沿ってそれぞれ直角に折り込み、凸片１０,１１をそれぞれ切込み４ａ、６ａに入れて固定することにより、図３に示すような縦断面形状または側面形状が三角形状の箱Ａが完成する。そして、この箱Ａに商品のスマートフォンなどを収納することができる。このような折り込み作業は、手作業または機械工程で簡単にできるものである。
【００３６】
本発明の物品スタンドになる箱Ａは、１枚の所定形状のシートから組み立てられているので、部材が散逸するようなことがなく、管理が容易である。箱体には、開口Ｋから内部にスマートフォン以外でも物品を収容して保管、運搬が可能である。箱として使用後、物品スタンドとして有効活用を図ることができる。
【００３７】
箱体の状態から物品スタンドとして使用する場合、図１に示すように、蓋面６および蓋面フラップ７を第１側面１および第２側面２に直角に開き、底面フラップ８を折り曲げて物品載置部を形成し、載置面８ｃを係合溝に差し込み固定する。載置面８ｃにスマートフォンＴ、額などの物品を載せて、開口Ｋの周囲の蓋面６および蓋面フラップ７に立て掛けることができる。載置面８ｃは底面３に対して鈍角をなし、開口Ｋは底面３に対して鋭角をなすため、物品は載置面８ｃと開口Ｋの周囲とで安定して支持される。また、物品スタンドになる箱Ａは、縦断面が三角形の構造なので形状的に安定し、第１側面１と第２側面２とにより上下方向の強度が保たれ、開いた蓋面６と蓋面フラップ７とにより横方向の安定性も高められている。
【００３８】
物品スタンドになる箱は、底面フラップ８の先端を第１側面１および第２側面２の係合溝１２，１４ならびに蓋面６の第１連通溝１３および蓋面フラップ７の第２連通溝１５と係合させることにより、物品載置部を折り曲げた状態で安定させることができる。底面フラップ８を折り曲げることにより、安定した物品載置部を容易に形成することができる。また、箱体として使用するとき、底面フラップ８の中間部８ｆを開口Ｋに沿って配置し、各側部８ｇ，８ｈを第１側面１の内側および第２側面２の内側に沿って配置することにより、箱体の強度を高めることができる。
【００３９】
物品スタンドとして使用したとき、蓋面６および蓋面フラップ７を開いて、第１側面１および第２側面２の係合溝１２，１４ならびに蓋面６の第１連通溝１３および蓋面フラップ７の第２連通溝１５と係合させた載置面８ｃの先端は、底面３の側に傾斜した係合溝１２，１４により、抜ける方向に対して抵抗を受けるので、物品載置部を折り曲げた状態でさらに安定させることが可能となっている。
【００４０】
また、蓋面６および蓋面フラップ７を開いた状態で、底面フラップ８の突起８ｄ、８ｅが蓋面６および蓋面フラップ７に当接するので、蓋面６および蓋面フラップ７を開いた状態で保ち、物品を開口Ｋの周囲の蓋面６および蓋面フラップ７に立て掛けやすくなっている。
【００４１】
次に、本発明の第２の実施の形態である物品スタンドになる箱Ｂを図６、図７に示す。
この物品スタンドになる箱Ｂは、図６に示すように、第１側面２１および第２側面２２の形状を、直角を有する台形状としたものである。このように構成された物品スタンドになる箱Ｂは、前述した側面が三角形状の物品スタンドになる箱Ａに比較して、内部に収容する商品の数量を多くすることができるので、商品の運搬などには有利である。
【００４２】
この物品スタンドになる箱Ｂは、前述の物品スタンドになる箱Ａと同様に開口Ｋを有している。図７に示すように、平板状の紙材料シートから長方形状の底面２３を両側から挟んで台形状の第１側面２１と第２側面２２を形成する。そして、この第１側面２１に連接して背面フラップ２４、天板フラップ２５、蓋面フラップ２６を形成し、第２側面２２に連接して背面２７、天板２８、蓋面２９を形成する。また、この背面フラップ２４、天板フラップ２５、蓋面フラップ２６には係合手段となる凸片２４a,２５a,２６aを形成し、これらの凸片に対応する背面２７、天板２８、蓋面２９と第２側面２２との境界に切込み２７a,２８a,２９aを形成する。さらに、底面２３に連接してスマートフォンなどの物品を載置するための底面フラップ３０を形成する。
【００４３】
所定の形状に打ち抜かれた１枚の平板状の紙材料シートは、底面２３を基準として第１側面２１と第２側面２２を直角に折り曲げ、さらに背面フラップ２４、天板フラップ２５、蓋面フラップ２６、背面２７、天板２８、蓋面２９をそれぞれ直角に折り曲げ、各凸片２４a,２５a,２６aを各切込み２７a,２８a,２９aに差し込み固定することにより、閉じた箱体となる。この組み立て作業は、手作業または機械工程で簡単にできるものである。
【００４４】
さらに、本発明の第３の実施の形態である物品スタンドになる箱を図８〜図１０に示す。
この物品スタンドになる箱Ｃは、図８に示すように、前述の物品スタンドになる箱Ｂと同様に、第１側面３１および第２側面３２の形状を等脚台形状としたものである。物品スタンドになる箱Ｃの箱体は、等脚台形の四角柱状であって、開口Ｋに垂直な縦断面形状が等脚台形状である。箱体は、開口Ｋと内側で対向する側部に第２開口Ｋ２を有している。図９に示すように、箱Ｃは、２台のスマートフォンＴを載置できるようにするため、両側に斜面が形成されている。このように構成された物品スタンドになる箱Ｃは、同時に２台のスマートフォンを使用できるので、二人で対戦型ゲームなどを楽しむことができ、使用範囲が広がるものである。
【００４５】
この物品スタンドになる箱Ｃは、前述の物品スタンドになる箱Ａや物品スタンドになる箱Ｂと同様に、図１０に示すような１枚の平板状の紙材料シートから形成される。長方形状の底面３３を挟んで台形状の第１側面３１と第２側面３２を形成する。そして、この第１側面３１に連接して背面３４、天板３５、蓋面３６を形成し、第２側面３２に連接して背面フラップ３７、天板フラップ３８、蓋面フラップ３９形成する。さらに、底面３３の開口側および背面側の縁部に連接して両側に、スマートフォンなどの物品を載置するための底面フラップ４０，第２底面フラップ４１を形成するものである。蓋面３６および蓋面フラップ３９は開口Ｋを開閉可能で、背面３４および背面フラップ３７は第２開口Ｋ２を開閉可能である。。蓋面３６、蓋面フラップ３９および開口Ｋならびに背面３４、背面フラップ３７および第２開口Ｋ２は、底面３３に対して鋭角をなしている。
【００４６】
底面フラップ４０および第２底面フラップ４１は、蓋面３６および背面３４を開いた状態でそれぞれ開口Ｋおよび第２開口Ｋ２から箱体の内側に収容可能である。底面フラップ４０および第２底面フラップ４１は、それぞれ箱体の外側で底面３３に対し鈍角をなす物品載置部および第２物品載置部を形成するよう折り曲げ可能に構成されている。
【００４７】
所定の形状に打ち抜かれた物品スタンドになる箱Ｃは、前述の物品スタンドになる箱Ｂと同様に、底面３３を基準として第１側面３１と第２側面３２を直角に折り曲げ、さらに背面３４、天板３５、蓋面３６、背面フラップ３７、天板フラップ３８、蓋面フラップ３９をそれぞれ直角に折り曲げ、各凸片３７a,３８a,３９aを各切込み３４a,３５a,３６aに差し込み固定することにより、縦断面形状または側面形状が等脚台形状の閉じた箱体となる。この組み立て作業は、手作業または機械工程で簡単にできるものである。
【００４８】
第３の実施の形態の物品スタンドになる箱Ｃは、箱体の状態から、互いに対向する蓋面３６および蓋面フラップ３９ならびに背面３４および背面フラップ３７を第１側面３１および第２側面３２に直角に開いて、底面フラップ４０から成る物品載置部および第２底面フラップ４１から成る第２物品載置部を形成することができる。物品載置部および第２物品載置部には、スマートフォン、額などの物品をそれぞれ載せて、開口の周囲に立て掛けることができる。
【００４９】
以上の説明のように、本発明の実施の形態の物品スタンドは、安価な紙材料から成形され、簡単に所定の形状に打ち抜き加工ができ、組み立て作業は手作業で簡単にできるため、極めて安価な物品スタンドを提供できる。しかも、箱がそのまま物品スタンドとして使用できるので、極めて利便性の優れた物品スタンドを提供できる。
【００５０】
また、スマートフォンなどの物品の包装に使用した包装用箱体をそのまま物品スタンドとしても使用することができるので、わざわざ別途スタンドを用意する必要がない。
【００５１】
また、第１の実施の形態では、断面形状を三角形状にすることにより、構造が簡単で製作コストが安価で、強度的に強い物品スタンドを提供することができる。
【００５２】
また、第２の実施の形態では、断面形状を台形にすることにより、内部により多くの商品を収納することが可能となる。第３の実施の形態では、２個のスマートフォンをそれぞれ反対側に置くことができるので、２人で同時にスマートフォンを使用し、対戦型ゲームなどを楽しむことができる。
【００５３】
本発明は上述した実施の形態に限定されるものではなく、特許請求の範囲内において種々の変更が可能である。例えば、図５で、底面３の長さ、幅は任意に設定可能であり、背面４の部分に形状を任意に追加することも可能である。これにより、箱体の形状、大きさを適宜変更し、三角形、四角形、五角形など種々の多角形の側面形状とすることも可能である。収容する物品もスマートフォンに限定されるものではなく、ゴルフボールなどの他の物品であってもよい。
【符号の説明】
【００５４】
１            第１側面
２            第２側面
３            底面
４            背面
４a            切込み
５            背面フラップ
６            蓋面
６a            切込み
７            蓋面フラップ
８            底面フラップ
８a            延長部
８b            立上り部
８c            載置面
１０          凸片
１１          凸片
１２          係合溝
１３          第１連通溝
１４          係合溝
１５          第２連通溝
８d            突起
８e            突起
【図１】
2018135148.tif 000003
【図２】
2018135148.tif 000004
【図３】
2018135148.tif 000005
【図４】
2018135148.tif 000006
【図５】
2018135148.tif 000007
【図６】
2018135148.tif 000008
【図７】
2018135148.tif 000009
【図８】
2018135148.tif 000010
【図９】
2018135148.tif 000011
【図１０】
2018135148.tif 000012
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
１枚の所定形状のシートから組み立てられた箱体であって、前記箱体は底面と蓋面と底面フラップと第１側面と第２側面とを有して側部に開閉可能な開口を有し、前記蓋面は前記開口を開閉可能であって前記蓋面および前記開口は前記底面に対して鋭角をなし、
前記底面フラップは前記底面の前記開口の側の縁部に連接し、前記底面フラップは前記蓋面を開いた状態で前記開口から前記箱体の内側に収容可能であり前記箱体の外側で前記底面に対し鈍角をなす物品載置部を形成するよう折り曲げ可能に構成されており、
前記第１側面および前記第２側面は前記開口の両側に互いに対向するよう設けられ、前記第１側面および前記第２側面の少なくとも一方は前記開口の側の縁部に前記底面フラップの先端と係合可能な係合溝を有し、
前記底面フラップは延長部と立上り部と載置面とを有し、前記延長部は前記底面に連接して前記箱体の外側に伸び、前記立上り部は前記延長部に連接して立ち上がり、前記載置面は前記立上り部に連接し前記先端を有して前記先端を前記係合溝と係合するよう折り曲げ可能に構成されていることを、特徴とする物品スタンドになる箱。
【請求項２】
前記底面フラップは中間部と２つの側部とに折り曲げ可能であり、前記中間部は前記開口に沿って配置可能であり、各側部はそれぞれ前記中間部の２つの側縁部に連接しており前記中間部が前記開口部に沿って配置されたとき前記第１側面の内側および前記第２側面の内側に沿って配置可能であることを、特徴とする請求項１記載の物品スタンドになる箱。
【請求項３】
前記第１側面および前記第２側面は前記係合溝を有し、前記第１側面は前記蓋面と縁部で連接し、前記第２側面の前記開口の側の縁部に連接する蓋面フラップを有し、前記蓋面フラップは前記開口の内側に折り曲げ可能であり、前記蓋面は前記第１側面の前記係合溝と連続する第１連通溝を有し、前記蓋面フラップは前記第２側面の前記係合溝と連続する第２連通溝を有し、前記底面フラップは前記蓋面および前記蓋面フラップを開いた状態で前記先端が前記係合溝、前記第１連通溝および前記第２連通溝と係合して前記物品載置部を形成可能であることを、特徴とする請求項１または２記載の物品スタンドになる箱。
【請求項４】
前記開口は長方形状であって、前記第１連通溝は前記第１側面の前記開口の側の縁部に対し垂直に伸び、前記第２連通溝は前記第２側面の前記開口の側の縁部に対し垂直に伸び、前記第１側面の前記係合溝は前記第１側面の前記開口の側の縁部に対し垂直より前記底面の側に傾斜して伸び、前記第２側面の前記係合溝は前記第２側面の前記開口の側の縁部に対し垂直より前記底面の側に傾斜して伸びていることを、特徴とする請求項３記載の物品スタンドになる箱。
【請求項５】
前記底面フラップは前記蓋面および前記蓋面フラップを開いた状態で前記先端が前記係合溝、前記第１連通溝および前記第２連通溝と係合したとき前記蓋面および前記蓋面フラップに当接する突起を両縁部に有することを、特徴とする請求項３または４に記載の物品スタンドになる箱。
【請求項６】
前記箱体はさらに背面を有して前記開口と対向する側部に第２開口を有し、前記背面は前記第２開口を開閉可能であって前記背面および前記第２開口は前記底面に対して鋭角をなし、前記底面の前記背面の側の縁部に連接する第２底面フラップを有し、前記第２底面フラップは前記背面を開いた状態で前記第２開口から前記箱体の内側に収容可能であり前記箱体の外側で前記底面に対し鈍角をなす第２物品載置部を形成するよう折り曲げ可能に構成されていることを、特徴とする請求項１〜５のいずれか１項に記載の物品スタンドになる箱。
【請求項７】
前記箱体は前記開口に垂直な縦断面形状が三角形状であることを、特徴とする請求項１〜６のいずれか１項に記載の物品スタンドになる箱。
【請求項８】
前記箱体は前記開口に垂直な縦断面形状が台形状であることを、特徴とする請求項１〜６のいずれか１項に記載の物品スタンドになる箱。
【請求項９】
前記シートは紙材から成り、前記物品載置部はスマートフォンを載置可能であることを、特徴とする請求項１〜８のいずれか１項に記載の物品スタンドになる箱。
【手続補正２】
【補正対象書類名】明細書
【補正対象項目名】０００７
【補正方法】変更
【補正の内容】
【０００７】
上記目的を達成するために、本発明に係る物品スタンドになる箱は、１枚の所定形状のシートから組み立てられた箱体であって、前記箱体は底面と蓋面と底面フラップと第１側面と第２側面とを有して側部に開閉可能な開口を有し、前記蓋面は前記開口を開閉可能であって前記蓋面および前記開口は前記底面に対して鋭角をなし、前記底面フラップは前記底面の前記開口の側の縁部に連接し、前記底面フラップは前記蓋面を開いた状態で前記開口から前記箱体の内側に収容可能であり前記箱体の外側で前記底面に対し鈍角をなす物品載置部を形成するよう折り曲げ可能に構成されており、前記第１側面および前記第２側面は前記開口の両側に互いに対向するよう設けられ、前記第１側面および前記第２側面の少なくとも一方は前記開口の側の縁部に前記底面フラップの先端と係合可能な係合溝を有し、前記底面フラップは延長部と立上り部と載置面とを有し、前記延長部は前記底面に連接して前記箱体の外側に伸び、前記立上り部は前記延長部に連接して立ち上がり、前記載置面は前記立上り部に連接し前記先端を有して前記先端を前記係合溝と係合するよう折り曲げ可能に構成されていることを、特徴とする。
【手続補正３】
【補正対象書類名】明細書
【補正対象項目名】０００９
【補正方法】変更
【補正の内容】
【０００９】
本発明に係る物品スタンドになる箱で、前記箱体は第１側面と第２側面とを有し、前記第１側面および前記第２側面は前記開口の両側に互いに対向するよう設けられ、前記第１側面および前記第２側面の少なくとも一方は前記開口の側の縁部に前記底面フラップの先端と係合可能な係合溝を有するので、底面フラップの先端を係合溝と係合させることにより、物品載置部を折り曲げた状態で安定させることができる。
【手続補正４】
【補正対象書類名】明細書
【補正対象項目名】００１０
【補正方法】変更
【補正の内容】
【００１０】
本発明に係る物品スタンドになる箱で、前記底面フラップは延長部と立上り部と載置面とを有し、前記延長部は前記底面に連接して前記箱体の外側に伸び、前記立上り部は前記延長部に連接して立ち上がり、前記載置面は前記立上り部に連接し前記先端を有して前記先端を前記係合溝と係合するよう折り曲げ可能に構成されているので、載置面の上に物品を載せることができ、底面フラップにより、安定した物品載置部を容易に形成することができる。